(57)【特許請求の範囲】
【請求項１】
コネクタを挿抜可能な第１アダプタ〜第１２アダプタと、
前記第１アダプタ及び前記第２アダプタの光学的な接続と前記第１アダプタ及び前記第３アダプタの光学的な接続とを切り替える第１光スイッチと、
前記第４アダプタ及び前記第５アダプタの光学的な接続と前記第４アダプタ及び前記第６アダプタの光学的な接続とを切り替える第２光スイッチと、
前記第７アダプタ及び前記第８アダプタの光学的な接続と前記第７アダプタ及び前記第９アダプタの光学的な接続とを切り替える第３光スイッチと、
前記第１０アダプタ及び前記第１１アダプタの光学的な接続と前記第１０アダプタ及び前記第１２アダプタの光学的な接続とを切り替える第４光スイッチと、
前記第１アダプタ〜前記第１２アダプタが配置されたパネル部と、を備え、
前記第１アダプタ〜前記第１２アダプタのそれぞれは、前記コネクタが挿入される挿入口と、前記挿入口の周縁に設けられ、前記コネクタの挿抜用ラッチに係合する係合部と、を有し、
前記パネル部は、前記第１アダプタ、前記第２アダプタ、及び前記第３アダプタが第１方向に沿って配置された第１領域と、
前記第４アダプタ、前記第５アダプタ、及び前記第６アダプタが前記第１方向に沿って配置された第２領域と、
前記第７アダプタ、前記第８アダプタ、及び前記第９アダプタが前記第１方向に沿って配置された第３領域と、
前記第１０アダプタ、前記第１１アダプタ、及び前記第１２アダプタが前記第１方向に沿って配置された第４領域と、を有し、
前記第１領域及び前記第２領域、並びに、前記第３領域及び前記第４領域は、それぞれ前記第１方向に沿って設けられ、
前記第１領域及び前記第３領域、並びに、前記第２領域及び前記第４領域は、それぞれ前記第１方向に直交する第２方向に沿って設けられ、
前記第２アダプタは、前記第１アダプタと前記第３アダプタとの間に位置し、
前記第１アダプタと前記第２アダプタとの間の距離は、前記第２アダプタと前記第３アダプタとの間の距離より長く、
前記第２アダプタの前記係合部は、前記第１アダプタ側に設けられ、
前記第３アダプタの前記係合部は、前記第２アダプタ側とは反対側に設けられ、
前記第５アダプタは、前記第４アダプタと前記第６アダプタとの間に位置し、
前記第４アダプタと前記第５アダプタとの間の距離は、前記第５アダプタと前記第６アダプタとの間の距離より長く、
前記第５アダプタの前記係合部は、前記第４アダプタ側に設けられ、
前記第６アダプタの前記係合部は、前記第５アダプタ側とは反対側に設けられ、
前記第８アダプタは、前記第７アダプタと前記第９アダプタとの間に位置し、
前記第７アダプタと前記第８アダプタとの間の距離は、前記第８アダプタと前記第９アダプタとの間の距離より長く、
前記第８アダプタの前記係合部は、前記第７アダプタ側に設けられ、
前記第９アダプタの前記係合部は、前記第８アダプタ側とは反対側に設けられ、
前記第１１アダプタは、前記第１０アダプタと前記第１２アダプタとの間に位置し、
前記第１０アダプタと前記第１１アダプタとの間の距離は、前記第１１アダプタと前記第１２アダプタとの間の距離より長く、
前記第１１アダプタの前記係合部は、前記第１０アダプタ側に設けられ、
前記第１２アダプタの前記係合部は、前記第１１アダプタ側とは反対側に設けられる、光切替ユニット。
【請求項２】
前記第１アダプタ及び前記第７アダプタ、前記第２アダプタ及び前記第８アダプタ、前記第３アダプタ及び前記第９アダプタ、前記第４アダプタ及び前記第１０アダプタ、前記第５アダプタ及び前記第１１アダプタ、並びに、前記第６アダプタ及び前記第１２アダプタは、それぞれ一体化されている、請求項１に記載の光切替ユニット。
【請求項３】
前記第１アダプタ、前記第２アダプタ、及び前記第３アダプタは、この順に前記第２領域に向かって配置され、
前記第４アダプタ、前記第５アダプタ、及び前記第６アダプタは、この順に前記第１領域から離間するように配置され、
前記第７アダプタ、前記第８アダプタ、及び前記第９アダプタは、この順に前記第４領域に向かって配置され、
前記第１０アダプタ、前記第１１アダプタ、及び前記第１２アダプタはこの順に前記第３領域から離間するように配置される、請求項１又は請求項２に記載の光切替ユニット。
【請求項４】
前記第１アダプタの前記係合部は、前記第２アダプタ側とは反対側に設けられ、
前記第４アダプタの前記係合部は、前記第５アダプタ側とは反対側に設けられ、
前記第７アダプタの前記係合部は、前記第８アダプタ側とは反対側に設けられ、
前記第１０アダプタの前記係合部は、前記第１１アダプタ側とは反対側に設けられる、請求項１〜請求項３の何れか一項に記載の光切替ユニット。
【請求項５】
前記第１領域に配置された第１操作部と、
前記第２領域に配置された第２操作部と、
前記第３領域に配置された第３操作部と、
前記第４領域に配置された第４操作部と、
を更に備え、
前記第１光スイッチは、前記第１操作部が操作されることによって前記第１アダプタ及び前記第２アダプタの光学的な接続と、前記第１アダプタ及び前記第３アダプタの光学的な接続とを切り替え、
前記第２光スイッチは、前記第２操作部が操作されることによって前記第４アダプタ及び前記第５アダプタの光学的な接続と、前記第４アダプタ及び前記第６アダプタの光学的な接続とを切り替え、
前記第３光スイッチは、前記第３操作部が操作されることによって前記第７アダプタ及び前記第８アダプタの光学的な接続と、前記第７アダプタ及び前記第９アダプタの光学的な接続とを切り替え、
前記第４光スイッチは、前記第４操作部が操作されることによって前記第１０アダプタ及び前記第１１アダプタの光学的な接続と、前記第１０アダプタ及び前記第１２アダプタの光学的な接続とを切り替える、請求項１〜請求項４の何れか一項に記載の光切替ユニット。
【請求項６】
前記第１操作部は、前記第１アダプタ、前記第２アダプタ、及び前記第３アダプタより前記第２領域側に配置され、
前記第２操作部は、前記第４アダプタ、前記第５アダプタ、及び前記第６アダプタより前記第１領域側に配置され、
前記第３操作部は、前記第７アダプタ、前記第８アダプタ、及び前記第９アダプタより前記第４領域側に配置され、
前記第４操作部は、前記第１０アダプタ、前記第１１アダプタ、及び前記第１２アダプタより前記第３領域側に配置されている、請求項５に記載の光切替ユニット。
【請求項７】
前記第２アダプタ及び前記第３アダプタのうち、前記第１光スイッチにおいて前記第１アダプタと光学的に接続されているアダプタを示す第１表示器と、
前記第５アダプタ及び前記第６アダプタのうち、前記第２光スイッチにおいて前記第４アダプタと光学的に接続されているアダプタを示す第２表示器と、
前記第８アダプタ及び前記第９アダプタのうち、前記第３光スイッチにおいて前記第７アダプタと光学的に接続されているアダプタを示す第３表示器と、
前記第１１アダプタ及び前記第１２アダプタのうち、前記第４光スイッチにおいて前記第１０アダプタと接続されているアダプタを示す第４表示器と、
を更に備え、
前記第１表示器は、前記第１領域に配置され、
前記第２表示器は、前記第２領域に配置され、
前記第３表示器は、前記第３領域に配置され、
前記第４表示器は、前記第４領域に配置されている、請求項１〜請求項６の何れか一項に記載の光切替ユニット。
【請求項８】
前記第１表示器は、前記第１アダプタ、前記第２アダプタ、及び前記第３アダプタより前記第２領域側に配置され、
前記第２表示器は、前記第４アダプタ、前記第５アダプタ、及び前記第６アダプタより前記第１領域側に配置され、
前記第３表示器は、前記第７アダプタ、前記第８アダプタ、及び前記第９アダプタより前記第４領域側に配置され、
前記第４表示器は、前記第１０アダプタ、前記第１１アダプタ、及び前記第１２アダプタより前記第３領域側に配置されている、請求項７に記載の光切替ユニット。
【請求項９】
前記第２アダプタから入力又は出力される光信号の強度を検知する第１受光素子と、
前記第３アダプタから入力又は出力される光信号の強度を検知する第２受光素子と、
前記第５アダプタから入力又は出力される光信号の強度を検知する第３受光素子と、
前記第６アダプタから入力又は出力される光信号の強度を検知する第４受光素子と、
前記第８アダプタから入力又は出力される光信号の強度を検知する第５受光素子と、
前記第９アダプタから入力又は出力される光信号の強度を検知する第６受光素子と、
前記第１１アダプタから入力又は出力される光信号の強度を検知する第７受光素子と、
前記第１２アダプタから入力又は出力される光信号の強度を検知する第８受光素子と、を更に備える、請求項１〜請求項８の何れか一項に記載の光切替ユニット。
【請求項１０】
前記第１アダプタ〜前記第１２アダプタは、ＬＣコネクタ用アダプタである、請求項１〜請求項９の何れか一項に記載の光切替ユニット。
【請求項１１】
請求項１〜１０の何れか一項に記載の光切替ユニットと、
１又は複数の前記光切替ユニットを搭載可能なフレームと、を備える光切替装置。
【発明の詳細な説明】
【技術分野】
【０００１】
本発明は、光切替ユニット及び光切替装置に関する。
【背景技術】
【０００２】
従来、光信号の伝送経路を切り替えるための光切替装置が知られている。このような光切替装置では、光信号の入力又は出力に用いられるアダプタを高密度に実装することが望まれている。例えば、特許文献１には、光パッチパネルの前面に複数のＬＣアダプタが高密度に配置されたスプリッタパネルが記載されている。
【先行技術文献】
【特許文献】
【０００３】
【特許文献１】実用新案登録第３１２４３６５号公報
【発明の概要】
【発明が解決しようとする課題】
【０００４】
しかし、高密度実装のためにアダプタ同士の間隔を小さくして配置した場合、作業者がコネクタを挿抜するための空間を十分に確保することができないことがあるので、コネクタをアダプタに挿抜する際の作業性が低下するおそれがある。また、光切替装置に用いられるアダプタとしては、光信号を入力するための入力用アダプタ、及び光信号を出力するための出力用アダプタがある。しかしながら、上述のようにアダプタ同士の間隔を小さくして配置した場合には、各アダプタが入力用アダプタ及び出力用アダプタのいずれの機能を有するのかを識別することが困難となることがある。
【０００５】
本発明は、高密度実装を実現しつつ、コネクタの挿抜の作業性及び各アダプタの機能の識別性を向上することが可能な光切替ユニット及び光切替装置を提供する。
【課題を解決するための手段】
【０００６】
本発明の一形態に係る光切替ユニットは、コネクタを挿抜可能な第１アダプタ〜第１２アダプタと、第１アダプタ及び第２アダプタの光学的な接続と第１アダプタ及び第３アダプタの光学的な接続とを切り替える第１光スイッチと、第４アダプタ及び第５アダプタの光学的な接続と第４アダプタ及び第６アダプタの光学的な接続とを切り替える第２光スイッチと、第７アダプタ及び第８アダプタの光学的な接続と第７アダプタ及び第９アダプタの光学的な接続とを切り替える第３光スイッチと、第１０アダプタ及び第１１アダプタの光学的な接続と第１０アダプタ及び第１２アダプタの光学的な接続とを切り替える第４光スイッチと、第１アダプタ〜第１２アダプタが配置されたパネル部と、を備える。第１アダプタ〜第１２アダプタのそれぞれは、コネクタが挿入される挿入口と、挿入口の周縁に設けられ、コネクタの挿抜用ラッチに係合する係合部を有する。パネル部は、第１アダプタ、第２アダプタ、及び第３アダプタが第１方向に沿って配置された第１領域と、第４アダプタ、第５アダプタ、及び第６アダプタが第１方向に沿って配置された第２領域と、第７アダプタ、第８アダプタ、及び第９アダプタが第１方向に沿って配置された第３領域と、第１０アダプタ、第１１アダプタ、及び第１２アダプタが第１方向に沿って配置された第４領域と、を有する。第１領域及び第２領域、並びに、第３領域及び第４領域は、それぞれ第１方向に沿って設けられ、第１領域及び第３領域、並びに、第２領域及び第４領域は、それぞれ第１方向に直交する第２方向に沿って設けられる。第２アダプタは、第１アダプタと第３アダプタとの間に位置し、第１アダプタと第２アダプタとの間の距離は、第２アダプタと第３アダプタとの間の距離より長く、第２アダプタの係合部は、第１アダプタ側に設けられ、第３アダプタの係合部は、第２アダプタ側とは反対側に設けられる。第５アダプタは、第４アダプタと第６アダプタとの間に位置し、第４アダプタと第５アダプタとの間の距離は、第５アダプタと第６アダプタとの間の距離より長く、第５アダプタの係合部は、第４アダプタ側に設けられ、第６アダプタの係合部は、第５アダプタ側とは反対側に設けられる。第８アダプタは、第７アダプタと第９アダプタとの間に位置し、第７アダプタと第８アダプタとの間の距離は、第８アダプタと第９アダプタとの間の距離より長く、第８アダプタの係合部は、第７アダプタ側に設けられ、第９アダプタの係合部は、第８アダプタ側とは反対側に設けられる。第１１アダプタは、第１０アダプタと第１２アダプタとの間に位置し、第１０アダプタと第１１アダプタとの間の距離は、第１１アダプタと第１２アダプタとの間の距離より長く、第１１アダプタの係合部は、第１０アダプタ側に設けられ、第１２アダプタの係合部は、第１１アダプタ側とは反対側に設けられる。
【０００７】
本発明の別の形態に係る光切替装置は、光切替ユニットと、１又は複数の光切替ユニットを搭載可能なフレームと、を備える。
【発明の効果】
【０００８】
本発明によれば、高密度実装を実現しつつ、コネクタの挿抜の作業性及び各アダプタの機能の識別性を向上することが可能な光切替ユニット及び光切替装置が提供される。
【図面の簡単な説明】
【０００９】
【図１】本発明の一実施形態に係る光切替装置を概略的に示す図である。
【図２】図１に示される光切替ユニットを概略的に示す図である。
【図３】図２に示される光切替ユニットの内部の構造を概略的に示す図である。
【発明を実施するための形態】
【００１０】
［本願発明の実施形態の説明］
最初に本発明の実施形態の内容を列記して説明する。
【００１１】
本発明の一形態に係る光切替ユニットは、コネクタを挿抜可能な第１アダプタ〜第１２アダプタと、第１アダプタ及び第２アダプタの光学的な接続と第１アダプタ及び第３アダプタの光学的な接続とを切り替える第１光スイッチと、第４アダプタ及び第５アダプタの光学的な接続と第４アダプタ及び第６アダプタの光学的な接続とを切り替える第２光スイッチと、第７アダプタ及び第８アダプタの光学的な接続と第７アダプタ及び第９アダプタの光学的な接続とを切り替える第３光スイッチと、第１０アダプタ及び第１１アダプタの光学的な接続と第１０アダプタ及び第１２アダプタの光学的な接続とを切り替える第４光スイッチと、第１アダプタ〜第１２アダプタが配置されたパネル部と、を備える。第１アダプタ〜第１２アダプタのそれぞれは、コネクタが挿入される挿入口と、挿入口の周縁に設けられ、コネクタの挿抜用ラッチに係合する係合部を有する。パネル部は、第１アダプタ、第２アダプタ、及び第３アダプタが第１方向に沿って配置された第１領域と、第４アダプタ、第５アダプタ、及び第６アダプタが第１方向に沿って配置された第２領域と、第７アダプタ、第８アダプタ、及び第９アダプタが第１方向に沿って配置された第３領域と、第１０アダプタ、第１１アダプタ、及び第１２アダプタが第１方向に沿って配置された第４領域と、を有する。第１領域及び第２領域、並びに、第３領域及び第４領域は、それぞれ第１方向に沿って設けられ、第１領域及び第３領域、並びに、第２領域及び第４領域は、それぞれ第１方向に直交する第２方向に沿って設けられる。第２アダプタは、第１アダプタと第３アダプタとの間に位置し、第１アダプタと第２アダプタとの間の距離は、第２アダプタと第３アダプタとの間の距離より長く、第２アダプタの係合部は、第１アダプタ側に設けられ、第３アダプタの係合部は、第２アダプタ側とは反対側に設けられる。第５アダプタは、第４アダプタと第６アダプタとの間に位置し、第４アダプタと第５アダプタとの間の距離は、第５アダプタと第６アダプタとの間の距離より長く、第５アダプタの係合部は、第４アダプタ側に設けられ、第６アダプタの係合部は、第５アダプタ側とは反対側に設けられる。第８アダプタは、第７アダプタと第９アダプタとの間に位置し、第７アダプタと第８アダプタとの間の距離は、第８アダプタと第９アダプタとの間の距離より長く、第８アダプタの係合部は、第７アダプタ側に設けられ、第９アダプタの係合部は、第８アダプタ側とは反対側に設けられる。第１１アダプタは、第１０アダプタと第１２アダプタとの間に位置し、第１０アダプタと第１１アダプタとの間の距離は、第１１アダプタと第１２アダプタとの間の距離より長く、第１１アダプタの係合部は、第１０アダプタ側に設けられ、第１２アダプタの係合部は、第１１アダプタ側とは反対側に設けられる。
【００１２】
本発明の一形態に係る光切替ユニットでは、パネル部の各領域において、異なる機能を有する２つのアダプタの間の距離は、同じ機能を有する２つのアダプタの間の距離より長くなるように配置されている。このように、アダプタが機能ごとにまとまって配置されていることにより、作業者は、各アダプタの機能を容易に識別することができる。また、各領域において、まとまって配置された２つのアダプタは、それぞれのアダプタにおいて係合部が設けられている方向が互いに反対の向きとなるように配置されている。このような向きでアダプタを配置することにより、第１方向において各アダプタと隣り合う位置には、コネクタのラッチを操作するための空間が形成される。したがって、各アダプタに対するコネクタの挿抜の作業性を向上することができる。その結果、高密度実装を実現しつつ、コネクタの挿抜の作業性及び各アダプタの機能の識別性を向上することが可能となる。
【００１３】
第１アダプタ及び第７アダプタ、第２アダプタ及び第８アダプタ、第３アダプタ及び第９アダプタ、第４アダプタ及び第１０アダプタ、第５アダプタ及び第１１アダプタ、並びに、第６アダプタ及び第１２アダプタは、それぞれ一体化されていてもよい。この場合、一体化される２つのアダプタの間隔をなくすことができる。第１アダプタ及び第７アダプタ、第２アダプタ及び第８アダプタ、第３アダプタ及び第９アダプタ、第４アダプタ及び第１０アダプタ、第５アダプタ及び第１１アダプタ、並びに、第６アダプタ及び第１２アダプタは、それぞれ第２方向に沿って配置される。このため、第２方向において、アダプタを高密度に配置することが可能となる。
【００１４】
第１アダプタ、第２アダプタ、及び第３アダプタは、この順に第２領域に向かって配置されてもよい。第４アダプタ、第５アダプタ、及び第６アダプタは、この順に第１領域から離間するように配置されてもよい。第７アダプタ、第８アダプタ、及び第９アダプタは、この順に第４領域に向かって配置されてもよい。第１０アダプタ、第１１アダプタ、及び第１２アダプタは、この順に第３領域から離間するように配置されもよい。この場合、第１アダプタと同じ機能を有する第４アダプタ、第７アダプタ、及び第１０アダプタは、それぞれの領域（第２領域〜第４領域）において、第１領域において第１アダプタが配置されている位置に対応する位置に配置される。第２アダプタと同じ機能を有する第５アダプタ、第８アダプタ、及び第１１アダプタは、それぞれの領域（第２領域〜第４領域）において、第１領域において第２アダプタが配置されている位置に対応する位置に配置される。また、第３アダプタと同じ機能を有する第６アダプタ、第９アダプタ、及び第１２アダプタは、それぞれの領域（第２領域〜第４領域）において、第１領域において第３アダプタが配置されている位置に対応する位置に配置される。したがって、各アダプタの機能の識別性を更に向上することが可能である。
【００１５】
第１アダプタの係合部は、第２アダプタ側とは反対側に設けられてもよく、第４アダプタの係合部は、第５アダプタ側とは反対側に設けられてもよく、第７アダプタの係合部は、第８アダプタ側とは反対側に設けられてもよく、第１０アダプタの係合部は、第１１アダプタ側とは反対側に設けられてもよい。この場合、第１アダプタの係合部及び第２アダプタの係合部は互いに対向しないので、第１アダプタに対してコネクタのラッチを操作するための空間と第２アダプタに対してコネクタのラッチを操作するための空間とが異なる位置にそれぞれ形成される。同様に、第４アダプタ及び第５アダプタ、第７アダプタ及び第８アダプタ、並びに第１０アダプタ及び第１１アダプタに対しても、コネクタのラッチを操作するための空間が異なる位置にそれぞれ形成される。したがって、これらのアダプタに対するコネクタの挿抜の作業性を更に向上することができる。
【００１６】
一形態に係る光切替ユニットは、第１領域に配置された第１操作部と、第２領域に配置された第２操作部と、第３領域に配置された第３操作部と、第４領域に配置された第４操作部と、を更に備えてもよい。第１光スイッチは、第１操作部が操作されることによって第１アダプタ及び第２アダプタの光学的な接続と、第１アダプタ及び第３アダプタの光学的な接続とを切り替えてもよい。第２光スイッチは、第２操作部が操作されることによって第４アダプタ及び第５アダプタの光学的な接続と、第４アダプタ及び第６アダプタの光学的な接続とを切り替えてもよい。第３光スイッチは、第３操作部が操作されることによって第７アダプタ及び第８アダプタの光学的な接続と、第７アダプタ及び第９アダプタの光学的な接続とを切り替えてもよい。第４光スイッチは、第４操作部が操作されることによって第１０アダプタ及び第１１アダプタの光学的な接続と、第１０アダプタ及び第１２アダプタの光学的な接続とを切り替えてもよい。この場合、第１操作部を操作することによって第１アダプタと光学的に接続されているアダプタを切り替えることができ、第２操作部を操作することによって第４アダプタと光学的に接続されているアダプタを切り替えることができ、第３操作部を操作することによって第７アダプタと光学的に接続されているアダプタを切り替えることができ、第４操作部を操作することによって第１０アダプタと光学的に接続されているアダプタを切り替えることができる。また、各操作部は、それぞれの操作部を操作することによって切り替えられるアダプタと同じ領域内に配置されているので、操作部とアダプタとの対応関係を容易に認識することができ、切替作業を向上することが可能となる。
【００１７】
第１操作部は、第１アダプタ、第２アダプタ、及び第３アダプタより第２領域側に配置されてもよく、第２操作部は、第４アダプタ、第５アダプタ、及び第６アダプタより第１領域側に配置されてもよく、第３操作部は、第７アダプタ、第８アダプタ、及び第９アダプタより第４領域側に配置されてもよく、第４操作部は、第１０アダプタ、第１１アダプタ、及び第１２アダプタより第３領域側に配置されてもよい。この場合、第１領域に配置されたアダプタのうち最も第２領域側に配置されたアダプタと、第２領域に配置されたアダプタのうち最も第１領域側に配置されたアダプタとの間に、第１操作部及び第２操作部が配置されるので、これらのアダプタ間の距離が大きくなる。このため、これらのアダプタに対してコネクタのラッチを操作するための空間を拡張することができる。同様に、第３領域に配置されたアダプタのうち最も第４領域側に配置されたアダプタと、第４領域に配置されたアダプタのうち最も第３領域側に配置されたアダプタとの間の距離も大きくなり、これらのアダプタに対してコネクタのラッチを操作するための空間を拡張することができる。したがって、これらのアダプタに対するコネクタの挿抜の作業性を更に向上することができる。
【００１８】
一形態に係る光切替ユニットは、第２アダプタ及び第３アダプタのうち、第１光スイッチにおいて第１アダプタと光学的に接続されているアダプタを示す第１表示器と、第５アダプタ及び第６アダプタのうち、第２光スイッチにおいて第４アダプタと光学的に接続されているアダプタを示す第２表示器と、第８アダプタ及び第９アダプタのうち、第３光スイッチにおいて第７アダプタと光学的に接続されているアダプタを示す第３表示器と、第１１アダプタ及び第１２アダプタのうち、第４光スイッチにおいて第１０アダプタと接続されているアダプタを示す第４表示器と、を更に備えてもよい。第１表示器は、第１領域に配置されてもよく、第２表示器は、第２領域に配置されてもよく、第３表示器は、第３領域に配置されてもよく、第４表示器は、第４領域に配置されてもよい。この場合、第１表示器によって第１アダプタと光学的に接続されているアダプタを識別することができ、第２表示器によって第４アダプタと光学的に接続されているアダプタを識別することができ、第３表示器によって第７アダプタと光学的に接続されているアダプタを識別することができ、第４表示器によって第１０アダプタと光学的に接続されているアダプタを識別することができる。また、各表示器は、それぞれの表示器によって示されるアダプタと同じ領域内に配置されているので、光信号を入力又は出力可能なアダプタの識別性を向上することができる。
【００１９】
第１表示器は、第１アダプタ、第２アダプタ、及び第３アダプタより第２領域側に配置されてもよく、第２表示器は、第４アダプタ、第５アダプタ、及び第６アダプタより第１領域側に配置されてもよく、第３表示器は、第７アダプタ、第８アダプタ、及び第９アダプタより第４領域側に配置されてもよく、第４表示器は、第１０アダプタ、第１１アダプタ、及び第１２アダプタより第３領域側に配置されてもよい。この場合、第１領域に配置されたアダプタのうち最も第２領域側に配置されたアダプタと、第２領域に配置されたアダプタのうち最も第１領域側に配置されたアダプタとの間に、第１表示器及び第２表示器が配置されるので、これらのアダプタ間の距離が大きくなる。このため、これらのアダプタに対してコネクタのラッチを操作するための空間を拡張することができる。同様に、第３領域に配置されたアダプタのうち最も第４領域側に配置されたアダプタと、第４領域に配置されたアダプタのうち最も第３領域側に配置されたアダプタとの間の距離も大きくなり、これらのアダプタに対してコネクタのラッチを操作するための空間を拡張することができる。したがって、これらのアダプタに対するコネクタの挿抜の作業性を更に向上することができる。
【００２０】
一形態に係る光切替ユニットは、第２アダプタから入力又は出力される光信号の強度を検知する第１受光素子と、第３アダプタから入力又は出力される光信号の強度を検知する第２受光素子と、第５アダプタから入力又は出力される光信号の強度を検知する第３受光素子と、第６アダプタから入力又は出力される光信号の強度を検知する第４受光素子と、第８アダプタから入力又は出力される光信号の強度を検知する第５受光素子と、第９アダプタから入力又は出力される光信号の強度を検知する第６受光素子と、第１１アダプタから入力又は出力される光信号の強度を検知する第７受光素子と、第１２アダプタから入力又は出力される光信号の強度を検知する第８受光素子とを更に備えてもよい。この場合、各光スイッチにおいて切り替えられるアダプタから入力又は出力される光信号の強度が検知される。このため、光信号の異常を検出することが可能となる。
【００２１】
第１アダプタ〜第１２アダプタは、ＬＣコネクタ用アダプタであってもよい。この場合、ＬＣコネクタ用アダプタを用いた高密度実装を実現しつつ、ＬＣコネクタの挿抜の作業性及び各ＬＣコネクタ用アダプタの機能の識別性を向上することが可能となる。
【００２２】
本発明の別の形態に係る光切替装置は、光切替ユニットと、１又は複数の光切替ユニットを搭載可能なフレームと、を備える。
【００２３】
この光切替装置には、上記の光切替ユニットが搭載されているので、高密度実装を実現しつつ、コネクタの挿抜の作業性及び各アダプタの機能の識別性を向上することが可能となる。
【００２４】
［本願発明の実施形態の詳細］
本発明の実施形態に係る光切替ユニット及び光切替装置の具体例を、以下に図面を参照しながら説明する。なお、本発明はこれらの例示に限定されるものではなく、特許請求の範囲によって示され、特許請求の範囲と均等の意味及び範囲内でのすべての変更が含まれることが意図される。
【００２５】
図１は、本発明の一実施形態に係る光切替装置を概略的に示す図である。図１に示される光切替装置１は、光信号の伝送経路の切替えを行う装置である。光切替装置１は、例えば、伝送経路に障害が発生した際に他の伝送経路に切り替えることで、伝送経路を冗長化するために用いられる。光切替装置１は、８個の光切替ユニット１０と、光切替ユニット１０を搭載するフレーム２０と、を備えている。
【００２６】
フレーム２０は、最大で８個の光切替ユニット１０を搭載可能な筐体である。フレーム２０は、略直方体形状をなしており、その上段に４個の光切替ユニット１０を搭載し、その下段に４個の光切替ユニット１０を搭載し得る。フレーム２０は、光切替ユニット１０を着脱可能とするためのスロット（不図示）を有している。フレーム２０は、そのＸ軸方向（第１方向）における両端部に設けられたフランジ部２１を有している。フランジ部２１には、ＥＩＡ規格の１９インチラックに光切替装置１を取付けるための孔２２がそれぞれ設けられている。また、フレーム２０は、１９インチラックの１Ｕサイズ（高さ４４．４５ｍｍ）のスペースに取り付けられるように設計されている。なお、フレーム２０に搭載される光切替ユニット１０の数は、８つに限定されない。例えば、光切替装置１は、フレーム２０に７つの光切替ユニット１０が搭載された状態で使用されてもよい。また、光切替ユニット１０は、光切替装置１の使用の途中で増設又は取り外されてもよい。また、フレーム２０の寸法は上記の寸法に限定されず、任意に定められてよい。
【００２７】
次に、図２及び図３を参照して光切替ユニット１０を詳細に説明する。図２は、光切替ユニット１０を概略的に示す図である。図３は、光切替ユニット１０の内部の構造を概略的に示す図である。光切替ユニット１０は、切替ブロック１１Ａと、切替ブロック１１Ｂと、切替ブロック１１Ｃと、切替ブロック１１Ｄと、パネル部１２とを備えている。切替ブロック１１Ａ〜切替ブロック１１Ｄのそれぞれは３つのアダプタを有しており、２入力１出力、又は１入力２出力の伝送経路の切替を行う。本実施形態では、切替ブロック１１Ａ〜切替ブロック１１Ｄが１入力２出力である場合を例に説明する。なお、切替ブロック１１Ａ〜切替ブロック１１Ｄは、機能的には分離されるが、物理的には１つの基板に実装されてもよい。
【００２８】
切替ブロック１１Ａは、アダプタ１３ａ（第１アダプタ）と、アダプタ１３ｂ（第２アダプタ）と、アダプタ１３ｃ（第３アダプタ）と、光スイッチ１４Ａ（第１光スイッチ）と、操作部１５Ａ（第１操作部）と、表示器１６Ａ（第１表示器）と、受光素子１７ａ（第１受光素子）と、受光素子１７ｂ（第２受光素子）と、を有している。アダプタ１３ａ〜アダプタ１３ｃのそれぞれは、コネクタが挿入される挿入口３０と、コネクタの挿抜用ラッチに係合する係合部３１とを有している。係合部３１は、挿入口３０の周縁に設けられている。係合部３１とコネクタの挿抜用ラッチとが係合することにより、コネクタは各アダプタ１３ａ〜１３ｃに固定される。また、挿抜用ラッチを操作し、係合部３１と挿抜用ラッチとの係合を解除することにより、各アダプタ１３ａ〜１３ｃからコネクタを抜去することが可能となる。アダプタ１３ａ〜アダプタ１３ｃは、ＬＣコネクタを挿抜可能なＬＣコネクタ用アダプタである。アダプタ１３ａは光信号の入力に用いられるアダプタであり、アダプタ１３ｂ及びアダプタ１３ｃは光信号の出力に用いられるアダプタである。
【００２９】
光スイッチ１４Ａは、ポート４０ａ、ポート４０ｂ、及びポート４０ｃを有している。ポート４０ａ及びアダプタ１３ａ、ポート４０ｂ及びアダプタ１３ｂ、並びに、ポート４０ｃ及びアダプタ１３ｃは、それぞれ光学的に接続されている。操作部１５Ａは、伝送経路の切替えを行う際に用いられる。操作部１５Ａは、例えば、ボタン等である。光スイッチ１４Ａは、操作部１５Ａが操作されることによって、ポート４０ａ及びポート４０ｂの光学的な接続と、ポート４０ａ及びポート４０ｃの光学的な接続とを切り替える。つまり、光スイッチ１４Ａは、操作部１５Ａが操作される度にアダプタ１３ａ及びアダプタ１３ｂの光学的な接続と、アダプタ１３ａ及びアダプタ１３ｃの光学的な接続と、を交互に切り替える。このように、アダプタ１３ａに入力された光信号は、アダプタ１３ｂ及びアダプタ１３ｃのうち、光スイッチ１４Ａによって選択された一方のアダプタから出力される。
【００３０】
表示器１６Ａは、アダプタ１３ｂ及びアダプタ１３ｃのうち、アダプタ１３ａと光学的に接続されているアダプタを表示する。表示器１６Ａは、例えば、ＬＥＤ（Light Emitting Diode）等であり、ＬＥＤの色、又は、ＬＥＤの点灯状態等によってアダプタ１３ａと光学的に接続されているアダプタを示す。
【００３１】
受光素子１７ａは、アダプタ１３ｂとポート４０ｂとの間に設けられており（図３参照）、アダプタ１３ｂから出力される光信号の強度を検知する。受光素子１７ａは、例えば、アダプタ１３ｂとポート４０ｂとの間に設けられた不図示の光カプラによって光信号から分岐されたモニタ光の強度を検知することで、当該光信号の強度を検知する。受光素子１７ｂは、アダプタ１３ｃとポート４０ｃとの間に設けられており（図３参照）、アダプタ１３ｃから出力される光信号の強度を検知する。受光素子１７ｂは、例えば、アダプタ１３ｃとポート４０ｃとの間に設けられた不図示の光カプラによって光信号から分岐されたモニタ光の強度を検知することで、当該光信号の強度を検知する。受光素子１７ａ及び受光素子１７ｂは、例えば、フォトダイオード等である。受光素子１７ａ及び受光素子１７ｂによって検知された光信号の強度は、光スイッチ１４Ａにおいてアダプタ１３ｂ及びアダプタ１３ｃのうち、アダプタ１３ａと光学的に接続するアダプタを決定するために用いられ得る。
【００３２】
切替ブロック１１Ｂは、アダプタ１３ｄ（第４アダプタ）と、アダプタ１３ｅ（第５アダプタ）と、アダプタ１３ｆ（第６アダプタ）と、光スイッチ１４Ｂ（第２光スイッチ）と、操作部１５Ｂ（第２操作部）と、表示器１６Ｂ（第２表示器）と、受光素子１７ｃ（第３受光素子）と、受光素子１７ｄ（第４受光素子）とを有している。アダプタ１３ｄ〜アダプタ１３ｆのそれぞれは、コネクタが挿入される挿入口３０と、コネクタの挿抜用ラッチに係合する係合部３１とを有している。係合部３１は、挿入口３０の周縁に設けられている。係合部３１とコネクタの挿抜用ラッチとが係合することにより、コネクタは各アダプタ１３ｄ〜１３ｆに固定される。また、挿抜用ラッチを操作し、係合部３１と挿抜用ラッチとの係合を解除することにより、各アダプタ１３ｄ〜１３ｆからコネクタを抜去することが可能となる。アダプタ１３ｄ〜アダプタ１３ｆは、ＬＣコネクタを挿抜可能なＬＣコネクタ用アダプタである。アダプタ１３ｄは光信号の入力に用いられるアダプタであり、アダプタ１３ｅ及びアダプタ１３ｆは光信号の出力に用いられるアダプタである。
【００３３】
光スイッチ１４Ｂは、ポート４０ｄ、ポート４０ｅ、及びポート４０ｆを有している。ポート４０ｄ及びアダプタ１３ｄ、ポート４０ｅ及びアダプタ１３ｅ、並びに、ポート４０ｆ及びアダプタ１３ｆは、それぞれ光学的に接続されている。操作部１５Ｂは、伝送経路の切替えを行う際に用いられる。操作部１５Ｂは、例えば、ボタン等である。光スイッチ１４Ｂは、操作部１５Ｂが操作されることによって、ポート４０ｄ及びポート４０ｅの光学的な接続と、ポート４０ｄ及びポート４０ｆの光学的な接続とを切り替える。つまり、光スイッチ１４Ｂは、操作部１５Ｂが操作される度にアダプタ１３ｄ及びアダプタ１３ｅの光学的な接続と、アダプタ１３ｄ及びアダプタ１３ｆの光学的な接続と、を交互に切り替える。このように、アダプタ１３ｄに入力された光信号は、アダプタ１３ｅ及びアダプタ１３ｆのうち、光スイッチ１４Ｂによって選択された一方のアダプタから出力される。
【００３４】
表示器１６Ｂは、アダプタ１３ｅ及びアダプタ１３ｆのうち、アダプタ１３ｄと光学的に接続されているアダプタを表示する。表示器１６Ｂは、例えば、ＬＥＤ等であり、ＬＥＤの色、又は、ＬＥＤの点灯状態等によってアダプタ１３ｄと光学的に接続されているアダプタを示す。
【００３５】
受光素子１７ｃは、アダプタ１３ｅとポート４０ｅとの間に設けられており（図３参照）、アダプタ１３ｅから出力される光信号の強度を検知する。受光素子１７ｃは、例えば、アダプタ１３ｅとポート４０ｅとの間に設けられた不図示の光カプラによって光信号から分岐されたモニタ光の強度を検知することで、当該光信号の強度を検知する。受光素子１７ｄは、アダプタ１３ｆとポート４０ｆとの間に設けられており（図３参照）、アダプタ１３ｆから出力される光信号の強度を検知する。受光素子１７ｄは、例えば、アダプタ１３ｆとポート４０ｆとの間に設けられた不図示の光カプラによって光信号から分岐されたモニタ光の強度を検知することで、当該光信号の強度を検知する。受光素子１７ｃ及び受光素子１７ｄは、例えば、フォトダイオード等である。受光素子１７ｃ及び受光素子１７ｄによって検知された光信号の強度は、光スイッチ１４Ｂにおいてアダプタ１３ｅ及びアダプタ１３ｆのうち、アダプタ１３ｄと光学的に接続するアダプタを決定するために用いられ得る。
【００３６】
切替ブロック１１Ｃは、アダプタ１３ｇ（第７アダプタ）と、アダプタ１３ｈ（第８アダプタ）と、アダプタ１３ｉ（第９アダプタ）と、光スイッチ１４Ｃ（第３光スイッチ）と、操作部１５Ｃ（第３操作部）と、表示器１６Ｃ（第３表示器）と、受光素子１７ｅ（第５受光素子）と、受光素子１７ｆ（第６受光素子）とを有している。アダプタ１３ｇ〜アダプタ１３ｉのそれぞれは、コネクタが挿入される挿入口３０と、コネクタの挿抜用ラッチに係合する係合部３１とを有している。係合部３１は、挿入口３０の周縁に設けられている。係合部３１とコネクタの挿抜用ラッチとが係合することにより、コネクタは各アダプタ１３ｇ〜１３ｉに固定される。また、挿抜用ラッチを操作し、係合部３１と挿抜用ラッチとの係合を解除することにより、各アダプタ１３ｇ〜１３ｉからコネクタを抜去することが可能となる。アダプタ１３ｇ〜アダプタ１３ｉは、ＬＣコネクタを挿抜可能なＬＣコネクタ用アダプタである。アダプタ１３ｇは光信号の入力に用いられるアダプタであり、アダプタ１３ｈ及びアダプタ１３ｉは光信号の出力に用いられるアダプタである。
【００３７】
光スイッチ１４Ｃは、ポート４０ｇ、ポート４０ｈ、及びポート４０ｉを有している。ポート４０ｇ及びアダプタ１３ｇ、ポート４０ｈ及びアダプタ１３ｈ、並びに、ポート４０ｉ及びアダプタ１３ｉは、それぞれ光学的に接続されている。操作部１５Ｃは、伝送経路の切替えを行う際に用いられる。操作部１５Ｃは、例えば、ボタン等である。光スイッチ１４Ｃは、操作部１５Ｃが操作されることによって、ポート４０ｇ及びポート４０ｈの光学的な接続と、ポート４０ｇ及びポート４０ｉの光学的な接続とを切り替える。つまり、光スイッチ１４Ｃは、操作部１５Ｃが操作される度にアダプタ１３ｇ及びアダプタ１３ｈの光学的な接続と、アダプタ１３ｇ及びアダプタ１３ｉの光学的な接続と、を交互に切り替える。このように、アダプタ１３ｇに入力された光信号は、アダプタ１３ｈ及びアダプタ１３ｉのうち、光スイッチ１４Ｃによって選択された一方のアダプタから出力される。
【００３８】
表示器１６Ｃは、アダプタ１３ｈ及びアダプタ１３ｉのうち、アダプタ１３ｇと光学的に接続されているアダプタを表示する。表示器１６Ｃは、例えば、ＬＥＤ等であり、ＬＥＤの色、又は、ＬＥＤの点灯状態等によってアダプタ１３ｇと光学的に接続されているアダプタを示す。
【００３９】
受光素子１７ｅは、アダプタ１３ｈとポート４０ｈとの間に設けられており（図３参照）、アダプタ１３ｈから出力される光信号の強度を検知する。受光素子１７ｅは、例えば、アダプタ１３ｈとポート４０ｈとの間に設けられた不図示の光カプラによって光信号から分岐されたモニタ光の強度を検知することで、当該光信号の強度を検知する。受光素子１７ｆは、アダプタ１３ｉとポート４０ｉとの間に設けられており（図３参照）、アダプタ１３ｉから出力される光信号の強度を検知する。受光素子１７ｆは、例えば、アダプタ１３ｉとポート４０ｉとの間に設けられた不図示の光カプラによって光信号から分岐されたモニタ光の強度を検知することで、当該光信号の強度を検知する。受光素子１７ｅ及び受光素子１７ｆは、例えば、フォトダイオード等である。受光素子１７ｅ及び受光素子１７ｆによって検知された光信号の強度は、光スイッチ１４Ｃにおいてアダプタ１３ｈ及びアダプタ１３ｉのうち、アダプタ１３ｇと光学的に接続するアダプタを決定するために用いられ得る。
【００４０】
切替ブロック１１Ｄは、アダプタ１３ｊ（第１０アダプタ）と、アダプタ１３ｋ（第１１アダプタ）と、アダプタ１３ｌ（第１２アダプタ）と、光スイッチ１４Ｄ（第４光スイッチ）と、操作部１５Ｄ（第４操作部）と、表示器１６Ｄ（第４表示器）と、受光素子１７ｇ（第７受光素子）と、受光素子１７ｈ（第８受光素子）とを有している。アダプタ１３ｊ〜アダプタ１３ｌのそれぞれは、コネクタが挿入される挿入口３０と、コネクタの挿抜用ラッチに係合する係合部３１とを有している。係合部３１は、挿入口３０の周縁に設けられている。係合部３１とコネクタの挿抜用ラッチとが係合することにより、コネクタは各アダプタ１３ｊ〜１３ｌに固定される。また、挿抜用ラッチを操作し、係合部３１と挿抜用ラッチとの係合を解除することにより、各アダプタ１３ｊ〜１３ｌからコネクタを抜去することが可能となる。アダプタ１３ｊ〜アダプタ１３ｌは、ＬＣコネクタを挿抜可能なＬＣコネクタ用アダプタである。アダプタ１３ｊは光信号の入力に用いられるアダプタであり、アダプタ１３ｋ及びアダプタ１３ｌは光信号の出力に用いられるアダプタである。
【００４１】
光スイッチ１４Ｄは、ポート４０ｊ、ポート４０ｋ、及びポート４０ｌを有している。ポート４０ｊ及びアダプタ１３ｊ、ポート４０ｋ及びアダプタ１３ｋ、並びに、ポート４０ｌ及びアダプタ１３ｌは、それぞれ光学的に接続されている。操作部１５Ｄは、伝送経路の切替えを行う際に用いられる。操作部１５Ｄは、例えば、ボタン等である。光スイッチ１４Ｄは、操作部１５Ｄが操作されることによって、ポート４０ｊ及びポート４０ｋの光学的な接続と、ポート４０ｊ及びポート４０ｌの光学的な接続とを切り替える。つまり、光スイッチ１４Ｄは、操作部１５Ｄが操作される度にアダプタ１３ｊ及びアダプタ１３ｋの光学的な接続と、アダプタ１３ｊ及びアダプタ１３ｌの光学的な接続と、を交互に切り替える。このように、アダプタ１３ｊに入力された光信号は、アダプタ１３ｋ及びアダプタ１３ｌのうち、光スイッチ１４Ｄによって選択された一方のアダプタから出力される。
【００４２】
表示器１６Ｄは、アダプタ１３ｋ及びアダプタ１３ｌのうち、アダプタ１３ｊと光学的に接続されているアダプタを表示する。表示器１６Ｄは、例えば、ＬＥＤ等であり、ＬＥＤの色、又は、ＬＥＤの点灯状態等によってアダプタ１３ｊと光学的に接続されているアダプタを示す。
【００４３】
受光素子１７ｇは、アダプタ１３ｋとポート４０ｋとの間に設けられており（図３参照）、アダプタ１３ｋから出力される光信号の強度を検知する。受光素子１７ｇは、例えば、アダプタ１３ｋとポート４０ｋとの間に設けられた不図示の光カプラによって光信号から分岐されたモニタ光の強度を検知することで、当該光信号の強度を検知する。受光素子１７ｈは、アダプタ１３ｌとポート４０ｌとの間に設けられており（図３参照）、アダプタ１３ｌから出力される光信号の強度を検知する。受光素子１７ｈは、例えば、アダプタ１３ｌとポート４０ｌとの間に設けられた不図示の光カプラによって光信号から分岐されたモニタ光の強度を検知することで、当該光信号の強度を検知する。受光素子１７ｇ及び受光素子１７ｈは、例えば、フォトダイオード等である。受光素子１７ｇ及び受光素子１７ｈによって検知された光信号の強度は、光スイッチ１４Ｄにおいてアダプタ１３ｋ及びアダプタ１３ｌのうち、アダプタ１３ｊと光学的に接続するアダプタを決定するために用いられ得る。
【００４４】
続いて、光切替ユニット１０のパネル部１２について説明する。パネル部１２は、光ファイバを接続するための板状部材であり、パッチパネルともいう。パネル部１２は、Ｘ軸方向に延びる矩形形状を呈している。パネル部１２には、アダプタ１３ａ〜アダプタ１３ｌ、操作部１５Ａ〜操作部１５Ｄ、及び表示器１６Ａ〜表示器１６Ｄが配置される。パネル部１２は、領域１２Ａ（第１領域）、領域１２Ｂ（第２領域）、領域１２Ｃ（第３領域）、及び領域１２Ｄ（第４領域）の４つの領域を有している。領域１２Ａ及び領域１２Ｂ、並びに、領域１２Ｃ及び領域１２Ｄは、それぞれＸ軸方向（パネル部１２の長手方向）に沿って設けられている。また、領域１２Ａ及び領域１２Ｃ、並びに、領域１２Ｂ及び領域１２Ｄは、それぞれＸ軸方向と直交するＹ軸方向（第２方向）に沿って設けられている。
【００４５】
領域１２Ａには、アダプタ１３ａ、アダプタ１３ｂ、アダプタ１３ｃ、操作部１５Ａ、及び表示器１６Ａが配置されている。アダプタ１３ａ、アダプタ１３ｂ、及びアダプタ１３ｃは、この順に領域１２Ｂに向かってＸ軸方向に沿って配置されている。また、アダプタ１３ｂは、アダプタ１３ａとアダプタ１３ｃとの間に位置し、アダプタ１３ａとアダプタ１３ｂとの間の距離は、アダプタ１３ｂとアダプタ１３ｃとの間の距離より長くなるように配置されている。言い換えれば、アダプタ１３ａ〜アダプタ１３ｃは、出力用又は入力用の機能ごとにまとまって配置されている。図２に示される領域１２Ａにおいては、光信号の入力に用いられるアダプタ１３ａは、光信号の出力に用いられるアダプタ１３ｂ及びアダプタ１３ｃと離間しており、アダプタ１３ｂとアダプタ１３ｃとは接触を成すように配置されている。
【００４６】
アダプタ１３ａの係合部３１がＸ軸方向においてアダプタ１３ｂ側とは反対側（アダプタ１３ｂと離れる方向）に位置するように、アダプタ１３ａは配置されている。アダプタ１３ｂの係合部３１がＸ軸方向においてアダプタ１３ａ側（アダプタ１３ａに向かう方向）に位置するように、アダプタ１３ｂは配置されている。アダプタ１３ｃの係合部３１がＸ軸方向においてアダプタ１３ｂ側とは反対側（アダプタ１３ｂと離れる方向）に位置するように、アダプタ１３ｃは配置されている。つまり、アダプタ１３ａ及びアダプタ１３ｂにおいて、係合部３１は挿入口３０に対してＸ軸負方向に位置し、アダプタ１３ｃにおいて、係合部３１が挿入口３０に対してＸ軸正方向に位置する。すなわち、アダプタ１３ａにおいて係合部３１が設けられている方向、及び、アダプタ１３ｂにおいて係合部３１が設けられている方向は、同じである。また、アダプタ１３ｂにおいて係合部３１が設けられている方向、及び、アダプタ１３ｃにおいて係合部３１が設けられている方向は、Ｘ軸方向において互いに反対である。なお、図２に示される領域１２Ａにおいて、アダプタ１３ａ、アダプタ１３ｂ、及びアダプタ１３ｃは領域１２Ｂに向かって（Ｘ軸正方向に）順に配置されているが、領域１２Ｂから離間するように（Ｘ軸負方向に）順に配置されていてもよい。
【００４７】
操作部１５Ａ及び表示器１６Ａは、アダプタ１３ａ、アダプタ１３ｂ、及びアダプタ１３ｃより領域１２Ｂ側に配置されている。また、操作部１５Ａは、表示器１６Ａよりも領域１２Ｃ側に配置されている。なお、Ｙ軸方向における操作部１５Ａ及び表示器１６Ａの位置関係は、上記の配置に限定されない。例えば、表示器１６Ａは操作部１５Ａより領域１２Ｃ側に配置されていてもよい。
【００４８】
領域１２Ｂには、アダプタ１３ｄ、アダプタ１３ｅ、アダプタ１３ｆ、操作部１５Ｂ、及び表示器１６Ｂが配置されている。アダプタ１３ｄ、アダプタ１３ｅ、及びアダプタ１３ｆは、この順に領域１２Ａから離間するようにＸ軸方向に沿って配置されている。また、アダプタ１３ｅは、アダプタ１３ｄとアダプタ１３ｆとの間に位置し、アダプタ１３ｄとアダプタ１３ｅとの間の距離は、アダプタ１３ｅとアダプタ１３ｆとの間の距離より長くなるように配置されている。言い換えれば、アダプタ１３ｄ〜アダプタ１３ｆは、出力用又は入力用の機能ごとにまとまって配置されている。図２に示される領域１２Ｂにおいては、光信号の出力に用いられるアダプタ１３ｄは、光信号の出力に用いられるアダプタ１３ｅ及びアダプタ１３ｆと離間しており、アダプタ１３ｅとアダプタ１３ｆとは接触を成すように配置されている。
【００４９】
アダプタ１３ｄの係合部３１がＸ軸方向においてアダプタ１３ｅ側とは反対側（アダプタ１３ｅと離れる方向）に位置するように、アダプタ１３ｄは配置されている。アダプタ１３ｅの係合部３１がＸ軸方向においてアダプタ１３ｄ側（アダプタ１３ｄに向かう方向）に位置するように、アダプタ１３ｅは配置されている。アダプタ１３ｆの係合部３１がＸ軸方向においてアダプタ１３ｅ側とは反対側（アダプタ１３ｅと離れる方向）に位置するように、アダプタ１３ｆは配置されている。つまり、アダプタ１３ｄ及びアダプタ１３ｅにおいて、係合部３１は挿入口３０に対してＸ軸負方向に位置し、アダプタ１３ｆにおいて、係合部３１が挿入口３０に対してＸ軸正方向に位置する。すなわち、アダプタ１３ｄにおいて係合部３１が設けられている方向、及び、アダプタ１３ｅにおいて係合部３１が設けられている方向は、同じである。また、アダプタ１３ｅにおいて係合部３１が設けられている方向、及び、アダプタ１３ｆにおいて係合部３１が設けられている方向は、Ｘ軸方向において互いに反対である。なお、図２に示される領域１２Ｂにおいて、アダプタ１３ｄ、アダプタ１３ｅ、及びアダプタ１３ｆは領域１２Ａから離間するように（Ｘ軸正方向に）順に配置されているが、領域１２Ａに向かって（Ｘ軸負方向に）順に配置されていてもよい。
【００５０】
操作部１５Ｂ及び表示器１６Ｂは、アダプタ１３ｄ、アダプタ１３ｅ、及びアダプタ１３ｆより領域１２Ａ側に配置されている。また、操作部１５Ｂは、表示器１６Ｂよりも領域１２Ｄ側に配置されている。なお、Ｙ軸方向における操作部１５Ｂ及び表示器１６Ｂの位置関係は、上記の配置に限定されない。例えば、表示器１６Ｂは操作部１５Ｂより領域１２Ｄ側に配置されていてもよい。
【００５１】
領域１２Ｃには、アダプタ１３ｇ、アダプタ１３ｈ、アダプタ１３ｉ、操作部１５Ｃ、及び表示器１６Ｃが配置されている。アダプタ１３ｇ、アダプタ１３ｈ、及びアダプタ１３ｉは、この順に領域１２Ｄに向かってＸ軸方向に沿って配置されている。また、アダプタ１３ｈは、アダプタ１３ｇとアダプタ１３ｉとの間に位置し、アダプタ１３ｇとアダプタ１３ｈとの間の距離は、アダプタ１３ｈとアダプタ１３ｉとの間の距離より長くなるように配置されている。言い換えれば、アダプタ１３ｇ〜アダプタ１３ｉは、出力用又は入力用の機能ごとにまとまって配置されている。図２に示される領域１２Ｃにおいては、光信号の出力に用いられるアダプタ１３ｇは、光信号の出力に用いられるアダプタ１３ｈ及びアダプタ１３ｉと離間しており、アダプタ１３ｈとアダプタ１３ｉとは接触を成すように配置されている。
【００５２】
アダプタ１３ｇの係合部３１がＸ軸方向においてアダプタ１３ｈ側とは反対側（アダプタ１３ｈと離れる方向）に位置するように、アダプタ１３ｇは配置されている。アダプタ１３ｈの係合部３１がＸ軸方向においてアダプタ１３ｇ側（アダプタ１３ｇに向かう方向）に位置するように、アダプタ１３ｈは配置されている。アダプタ１３ｉの係合部３１がＸ軸方向においてアダプタ１３ｈ側とは反対側（アダプタ１３ｈと離れる方向）に位置するように、アダプタ１３ｉは配置されている。つまり、アダプタ１３ｇ及びアダプタ１３ｈにおいて、係合部３１は挿入口３０に対してＸ軸負方向に位置し、アダプタ１３ｉにおいて、係合部３１が挿入口３０に対してＸ軸正方向に位置する。すなわち、アダプタ１３ｇにおいて係合部３１が設けられている方向、及び、アダプタ１３ｈにおいて係合部３１が設けられている方向は、同じである。また、アダプタ１３ｈにおいて係合部３１が設けられている方向、及び、アダプタ１３ｉにおいて係合部３１が設けられている方向は、Ｘ軸方向において互いに反対である。なお、図２に示される領域１２Ｃにおいて、アダプタ１３ｇ、アダプタ１３ｈ、及びアダプタ１３ｉは領域１２Ｄに向かって（Ｘ軸正方向に）順に配置されているが、領域１２Ｄから離間するように（Ｘ軸負方向に）順に配置されていてもよい。
【００５３】
操作部１５Ｃ及び表示器１６Ｃは、アダプタ１３ｇ、アダプタ１３ｈ、及びアダプタ１３ｉより領域１２Ｄ側に配置されている。また、操作部１５Ｃは、表示器１６Ｃよりも領域１２Ａ側に配置されている。なお、Ｙ軸方向における操作部１５Ｃ及び表示器１６Ｃの位置関係は、上記の配置に限定されない。例えば、表示器１６Ｃは操作部１５Ｃより領域１２Ａ側に配置されていてもよい。
【００５４】
領域１２Ｄには、アダプタ１３ｊ、アダプタ１３ｋ、アダプタ１３ｌ、操作部１５Ｄ、及び表示器１６Ｄが配置されている。アダプタ１３ｊ、アダプタ１３ｋ、及びアダプタ１３ｌは、この順に領域１２Ｃから離間するようにＸ軸方向に沿って配置されている。また、アダプタ１３ｋは、アダプタ１３ｊとアダプタ１３ｌとの間に位置し、アダプタ１３ｊとアダプタ１３ｋとの間の距離は、アダプタ１３ｋとアダプタ１３ｌとの間の距離より長くなるように配置されている。言い換えれば、アダプタ１３ｊ〜アダプタ１３ｌは、出力用又は入力用の機能ごとにまとまって配置されている。図２に示される領域１２Ｄにおいては、光信号の出力に用いられるアダプタ１３ｊは、光信号の出力に用いられるアダプタ１３ｋ及びアダプタ１３ｌと離間しており、アダプタ１３ｋとアダプタ１３ｌとは接触を成すように配置されている。
【００５５】
アダプタ１３ｊの係合部３１がＸ軸方向においてアダプタ１３ｋ側とは反対側（アダプタ１３ｋと離れる方向）に位置するように、アダプタ１３ｊは配置されている。アダプタ１３ｋの係合部３１がＸ軸方向においてアダプタ１３ｊ側（アダプタ１３ｊに向かう方向）に位置するように、アダプタ１３ｋは配置されている。アダプタ１３ｌの係合部３１がＸ軸方向においてアダプタ１３ｋ側とは反対側（アダプタ１３ｋと離れる方向）に位置するように、アダプタ１３ｌは配置されている。つまり、アダプタ１３ｊ及びアダプタ１３ｋにおいて、係合部３１は挿入口３０に対してＸ軸負方向に位置し、アダプタ１３ｌにおいて、係合部３１が挿入口３０に対してＸ軸正方向に位置する。すなわち、アダプタ１３ｊにおいて係合部３１が設けられている方向、及び、アダプタ１３ｋにおいて係合部３１が設けられている方向は、同じである。また、アダプタ１３ｋにおいて係合部３１が設けられている方向、及び、アダプタ１３ｌにおいて係合部３１が設けられている方向は、Ｘ軸方向において互いに反対である。なお、図２に示される領域１２Ｄにおいて、アダプタ１３ｊ、アダプタ１３ｋ、及びアダプタ１３ｌは、領域１２Ｃから離間するように（Ｘ軸正方向に）順に配置されているが、領域１２Ｃに向かって（Ｘ軸負方向に）順に配置されていてもよい。
【００５６】
操作部１５Ｄ及び表示器１６Ｄは、アダプタ１３ｊ、アダプタ１３ｋ、及びアダプタ１３ｌより領域１２Ｃ側に配置されている。また、操作部１５Ｄは、表示器１６Ｄよりも領域１２Ｂ側に配置されている。なお、Ｙ軸方向における操作部１５Ｄ及び表示器１６Ｄの位置関係は、上記の配置に限定されない。例えば、表示器１６Ｄは操作部１５Ｄより領域１２Ｂ側に配置されていてもよい。
【００５７】
アダプタ１３ａ及びアダプタ１３ｇ、アダプタ１３ｂ及びアダプタ１３ｈ、アダプタ１３ｃ及びアダプタ１３ｉ、アダプタ１３ｄ及びアダプタ１３ｊ、アダプタ１３ｅ及びアダプタ１３ｋ、並びに、アダプタ１３ｆ及びアダプタ１３ｌは、それぞれＹ軸方向において一体化されている。一体化されたアダプタとしては、例えば、２連ＬＣコネクタ用アダプタが用いられる。
【００５８】
また、パネル部１２には、切替ブロック１１Ａ〜切替ブロック１１Ｄが実装された基板をパネル部１２に固定するためのネジ１８と、光切替ユニット１０をフレーム２０に固定するためのネジ１９とが設けられている。ネジ１８及びネジ１９は、パネル部１２のＸ軸方向における両端部にそれぞれ設けられている。なお、ネジ１８及びネジ１９の位置は上記に限定されず、アダプタ１３ａ〜アダプタ１３ｌ、操作部１５Ａ〜操作部１５Ｄ、及び表示器１６Ａ〜表示器１６Ｄと干渉しない位置であれば、パネル部１２の任意の位置に設けられてもよい。
【００５９】
以上説明したように、光切替装置１及び光切替ユニット１０では、パネル部１２の各領域において、異なる機能を有する２つのアダプタの間の距離は、同じ機能を有する２つのアダプタの間の距離より長くなるように配置されている。このように、アダプタが機能ごとにまとまって配置されていることにより、作業者は、各アダプタの機能を容易に識別することができる。また、各領域において、まとまって配置された２つのアダプタ（アダプタ１３ｂ及びアダプタ１３ｃ、アダプタ１３ｅ及びアダプタ１３ｆ、アダプタ１３ｈ及びアダプタ１３ｉ、並びに、アダプタ１３ｋ及びアダプタ１３ｌ）は、それぞれのアダプタにおいて係合部３１が設けられている方向が互いに反対の向きとなるように配置されている。このような向きでアダプタを配置することにより、Ｘ軸方向において各アダプタと隣り合う位置には、ＬＣコネクタのラッチを操作するための空間が形成される。したがって、各アダプタに対するＬＣコネクタの挿抜の作業性を向上することができる。
【００６０】
光切替ユニット１０では、アダプタ１３ａ、アダプタ１３ｂ、及びアダプタ１３ｃは、この順に領域１２Ｂに向かって配置されている。アダプタ１３ｄ、アダプタ１３ｅ、及びアダプタ１３ｆは、この順に領域１２Ａから離間するように配置されている。アダプタ１３ｇ、アダプタ１３ｈ、及びアダプタ１３ｉは、この順に領域１２Ｄに向かって配置されている。アダプタ１３ｊ、アダプタ１３ｋ、及びアダプタ１３ｌは、この順に領域１２Ｃから離間するように配置されている。このように、アダプタ１３ａと同じ機能を有するアダプタ１３ｄ、アダプタ１３ｇ、及びアダプタ１３ｊは、それぞれの領域（領域１２Ｂ〜領域１２Ｄ）において、領域１２Ａにおいてアダプタ１３ａが配置されている位置に対応する位置に配置される。アダプタ１３ｂと同じ機能を有するアダプタ１３ｅ、アダプタ１３ｈ、及びアダプタ１３ｋは、それぞれの領域（領域１２Ｂ〜領域１２Ｄ）において、領域１２Ａにおいてアダプタ１３ｂが配置されている位置に対応する位置に配置される。また、アダプタ１３ｃと同じ機能を有するアダプタ１３ｆ、アダプタ１３ｉ、及びアダプタ１３ｌは、それぞれの領域（領域１２Ｂ〜領域１２Ｄ）において、領域１２Ａにおいてアダプタ１３ｃが配置されている位置に対応する位置に配置される。すなわち、光信号が入力されるアダプタ及び光信号が出力されるアダプタは、各領域１２Ａ〜領域１２Ｄにおいて同じ順番となるように配置されている。したがって、各アダプタの機能の識別性を更に向上することが可能である。
【００６１】
アダプタ１３ａの係合部３１は、挿入口３０に対してアダプタ１３ｂとは反対の方向に設けられている。このため、アダプタ１３ａの係合部３１及びアダプタ１３ｂの係合部３１は互いに対向しないので、アダプタ１３ａに対してコネクタのラッチを操作するための空間とアダプタ１３ｂに対してコネクタのラッチを操作するための空間とが異なる位置にそれぞれ形成される。アダプタ１３ｄ、アダプタ１３ｇ、及びアダプタ１３ｊについても、同様である。したがって、これらのアダプタに対するコネクタの挿抜の作業性を更に向上することができる。
【００６２】
また、アダプタ１３ａ及びアダプタ１３ｇ、アダプタ１３ｂ及びアダプタ１３ｈ、アダプタ１３ｃ及びアダプタ１３ｉ、アダプタ１３ｄ及びアダプタ１３ｊ、アダプタ１３ｅ及びアダプタ１３ｋ、並びに、アダプタ１３ｆ及びアダプタ１３ｌは、それぞれ一体化されている。これにより、一体化される２つのアダプタの間隔をなくすことができる。また、アダプタ１３ａ及びアダプタ１３ｇ、アダプタ１３ｂ及びアダプタ１３ｈ、アダプタ１３ｃ及びアダプタ１３ｉ、アダプタ１３ｄ及びアダプタ１３ｊ、アダプタ１３ｅ及びアダプタ１３ｋ、並びに、アダプタ１３ｆ及びアダプタ１３ｌは、それぞれＹ軸方向に沿って配置される。このため、Ｙ軸方向において、アダプタを高密度に配置することが可能となる。
【００６３】
光切替ユニット１０では、操作部１５Ａを操作することによってアダプタ１３ａと光学的に接続されているアダプタを切り替えることができ、操作部１５Ｂを操作することによってアダプタ１３ｄと光学的に接続されているアダプタを切り替えることができ、操作部１５Ｃを操作することによってアダプタ１３ｇと光学的に接続されているアダプタを切り替えることができ、操作部１５Ｄを操作することによってアダプタ１３ｊと光学的に接続されているアダプタを切り替えることができる。また、各操作部１５Ａ〜１５Ｄは、それぞれの操作部を操作することによって切り替えられるアダプタと同じ領域内に配置されているので、操作部とアダプタとの対応関係を容易に認識することができ、切替作業を向上することが可能となる。
【００６４】
操作部１５Ａは、アダプタ１３ａ、アダプタ１３ｂ、及びアダプタ１３ｃより領域１２Ｂ側に配置されている。操作部１５Ｂは、アダプタ１３ｄ、アダプタ１３ｅ、及びアダプタ１３ｆより領域１２Ａ側に配置されている。操作部１５Ｃは、アダプタ１３ｇ、アダプタ１３ｈ、及びアダプタ１３ｉより領域１２Ｄ側に配置されている。操作部１５Ｄは、アダプタ１３ｊ、アダプタ１３ｋ、及びアダプタ１３ｌより領域１２Ｃ側に配置されている。これにより、アダプタ１３ｃとアダプタ１３ｄとの間に、操作部１５Ａ及び操作部１５Ｂが配置されるので、これらのアダプタ間の距離が大きくなる。このため、アダプタ１３ｃの係合部３１及びアダプタ１３ｄの係合部３１が互いに対向していても、これらのアダプタに対してコネクタのラッチを操作するための空間を拡張することができる。同様に、アダプタ１３ｉとアダプタ１３ｊとの間の距離も大きくなり、これらのアダプタに対してコネクタのラッチを操作するための空間を拡張することができる。したがって、アダプタ１３ｉの係合部３１及びアダプタ１３ｊの係合部３１が互いに対向していても、これらのアダプタに対するコネクタの挿抜の作業性を更に向上することができる。
【００６５】
光切替ユニット１０では、表示器１６Ａによってアダプタ１３ａと光学的に接続されているアダプタを識別することができ、表示器１６Ｂによってアダプタ１３ｄと光学的に接続されているアダプタを識別することができ、表示器１６Ｃによってアダプタ１３ｇと光学的に接続されているアダプタを識別することができ、表示器１６Ｄによってアダプタ１３ｊと光学的に接続されているアダプタを識別することができる。また、各表示器１６Ａ〜１６Ｄは、それぞれの表示器によって示されるアダプタと同じ領域内に配置されているので、光信号を入力又は出力可能なアダプタの識別性を向上することができる。
【００６６】
表示器１６Ａは、アダプタ１３ａ、アダプタ１３ｂ、及びアダプタ１３ｃより領域１２Ｂ側に配置され、表示器１６Ｂは、アダプタ１３ｄ、アダプタ１３ｅ、及びアダプタ１３ｆより領域１２Ａ側に配置され、表示器１６Ｃは、アダプタ１３ｇ、アダプタ１３ｈ、及びアダプタ１３ｉより領域１２Ｄ側に配置され、表示器１６Ｄは、アダプタ１３ｊ、アダプタ１３ｋ、及びアダプタ１３ｌより領域１２Ｃ側に配置されていている。これにより、アダプタ１３ｃとアダプタ１３ｄとの間に、表示器１６Ａ及び表示器１６Ｂが配置されるので、これらのアダプタ間の距離が大きくなる。このため、アダプタ１３ｃの係合部３１及びアダプタ１３ｄの係合部３１が互いに対向していても、これらのアダプタに対してコネクタのラッチを操作するための空間を拡張することができる。同様に、アダプタ１３ｉとアダプタ１３ｊとの間の距離も大きくなり、これらのアダプタに対してコネクタのラッチを操作するための空間を拡張することができる。したがって、アダプタ１３ｉの係合部３１及びアダプタ１３ｊの係合部３１が互いに対向していても、これらのアダプタに対するコネクタの挿抜の作業性を更に向上することができる。
【００６７】
光切替ユニット１０では、受光素子１７ａ〜受光素子１７ｈによって、各光スイッチ１４Ａ〜光スイッチ１４Ｄにおいて切り替えられるアダプタから出力される光信号の強度が検知される。このため、光信号の異常を検出することが可能となる。また、例えば、受光素子１７ａ及び受光素子１７ｂによって検知された光信号の強度に基づいて、アダプタ１３ｂ及びアダプタ１３ｃのうち、光信号の強度が強いアダプタを選択するように光スイッチ１４Ａを制御することにより、より強度の高い光信号を出力することができる。光スイッチ１４Ｂ〜光スイッチ１４Ｄについても、光スイッチ１４Ａと同様に制御することができる。
【００６８】
なお、本発明に係る光切替ユニット及び光切替装置は、上記の実施形態に限定されない。例えば、アダプタ１３ａ及びアダプタ１３ｇ、アダプタ１３ｂ及びアダプタ１３ｈ、アダプタ１３ｃ及びアダプタ１３ｉ、アダプタ１３ｄ及びアダプタ１３ｊ、アダプタ１３ｅ及びアダプタ１３ｋ、並びに、アダプタ１３ｆ及びアダプタ１３ｌは、それぞれＹ軸方向において一体化されていなくともよい。また、アダプタ１３ｂ及びアダプタ１３ｃ、アダプタ１３ｅ及びアダプタ１３ｆ、アダプタ１３ｈ及びアダプタ１３ｉ，並びに、アダプタ１３ｋ及びアダプタ１３ｌの間は離間していてよい。
【００６９】
作業者が光スイッチ１４Ａ〜光スイッチ１４Ｄを直接操作する必要がなければ、光切替ユニット１０は、操作部１５Ａ〜操作部１５Ｄを備えていなくてもよい。また、光切替ユニット１０は表示器１６Ａ〜１６Ｄを備えていなくてもよい。
【００７０】
さらに、アダプタ１３ａ〜アダプタ１３ｌは、ＬＣコネクタ用アダプタに限られず、アダプタ１３ａ〜アダプタ１３ｌに接続されるコネクタの種類に応じて適宜選択される。
【符号の説明】
【００７１】
１…光切替装置、１０…光切替ユニット、１１Ａ，１１Ｂ，１１Ｃ，１１Ｄ…切替ブロック、１２…パネル部、１２Ａ…領域（第１領域）、１２Ｂ…領域（第２領域），１２Ｃ…領域（第３領域），１２Ｄ…領域（第４領域）、１３ａ…アダプタ（第１アダプタ），１３ｂ…アダプタ（第２アダプタ），１３ｃ…アダプタ（第３アダプタ），１３ｄ…アダプタ（第４アダプタ），１３ｅ…アダプタ（第５アダプタ），１３ｆ…アダプタ（第６アダプタ），１３ｇ…アダプタ（第７アダプタ），１３ｈ…アダプタ（第８アダプタ），１３ｉ…アダプタ（第９アダプタ），１３ｊ…アダプタ（第１０アダプタ），１３ｋ…アダプタ（第１１アダプタ），１３ｌ…アダプタ（第１２アダプタ）、１４Ａ…光スイッチ（第１光スイッチ），１４Ｂ…光スイッチ（第２光スイッチ），１４Ｃ…光スイッチ（第３光スイッチ），１４Ｄ…光スイッチ（第４光スイッチ）、１５Ａ…操作部（第１操作部），１５Ｂ…操作部（第２操作部），１５Ｃ…操作部（第３操作部），１５Ｄ…操作部（第４操作部）、１６Ａ…表示器（第１表示器），１６Ｂ…表示器（第２表示器），１６Ｃ…表示器（第３表示器），１６Ｄ…表示器（第４表示器）、１７ａ…受光素子（第１受光素子），１７ｂ…受光素子（第２受光素子），１７ｃ…受光素子（第３受光素子），１７ｄ…受光素子（第４受光素子），１７ｅ…受光素子（第５受光素子），１７ｆ…受光素子（第６受光素子），１７ｇ…受光素子（第７受光素子），１７ｈ…受光素子（第８受光素子）、３０…挿入口、３１…係合部。
【図１】
0006438426.tif 000002
【図２】
0006438426.tif 000003
【図３】
0006438426.tif 000004